(57)【要約】      （修正有）【課題】金銭収納装置のセキュリティ機能をより強固なものとする。【解決手段】収集した金銭を収納する金銭収納装置１００が、金銭収納装置１００を管理する金銭収納装置管理サーバ３０から施錠状態の解徐を指示する施錠状態解除指示信号を通信ネットワーク，中継器を介して無線通信により受信し、施錠状態解除指示信号を受信したことに応じて、施錠状態を解除する。【選択図】図１２
2014055480.tif 000002
【特許請求の範囲】
【請求項１】
収集した金銭を収納する金銭収納装置であって、
前記金銭収納装置を管理する金銭収納装置管理サーバから施錠状態の解徐を指示する施錠状態解除指示信号を通信ネットワークを介して無線通信により受信する施錠状態解除指示信号受信手段と、
前記施錠状態解除指示信号を受信したことに応じて、施錠状態を解除する施錠状態解除手段とを備える
ことを特徴とする金銭収納装置。
【請求項２】
持ち運び可能に構成されており、
前記金銭収納装置管理サーバに対して自己位置を特定可能な自己位置特定可能情報を送信する自己位置特定可能情報送信手段を備え、
前記施錠状態解除指示信号受信手段は、前記自己位置特定可能情報により特定された金銭収納装置の自己位置が特定の解錠許容エリアに含まれているときに前記金銭収納装置管理サーバにより送信される前記施錠状態解除指示信号を受信する
請求項１記載の金銭収納装置。
【請求項３】
顧客情報を特定する顧客情報特定手段と、
金銭の種類を識別可能に取り込む金銭取込手段と、
該金銭取込手段により取り込んだ金銭の金額に応じて当該金額をポイントに変換するポイント変換手段と、
該ポイント変換手段により変換したポイントと、前記顧客特定手段により特定した顧客情報とを対応付けた入金管理情報を記憶する入金管理情報記憶手段と、
前記入金管理情報を前記金銭収納装置管理サーバに送信する入金管理情報送信手段とを備える
請求項１または請求項２記載の金銭収納装置。
【請求項４】
収集した金銭を収納する金銭収納装置と、該金銭収納装置を管理する金銭収納装置管理サーバとを備える金銭収納装置管理システムであって、
前記金銭収納装置は、
前記金銭収納装置管理サーバから施錠状態の解徐を指示する施錠状態解除指示信号を通信ネットワークを介して無線通信により受信する施錠状態解除指示信号受信手段と、
前記施錠状態解除指示信号を受信したことに応じて、施錠状態を解除する施錠状態解除手段とを備え、
前記金銭収納装置管理サーバは、
前記金銭収納装置に前記施錠状態解除指示信号を送信する施錠状態解除指示信号送信手段を備える
ことを特徴とする金銭収納装置管理システム。
【請求項５】
前記金銭収納装置は、
持ち運び可能に構成されており、
前記金銭収納装置管理サーバに対して自己位置を特定可能な自己位置特定可能情報を送信する自己位置特定可能情報送信手段を備え、
前記金銭収納装置管理サーバは、
前記施錠状態の解除を許容する解錠許容エリアを示す解錠許容エリア情報を記憶する解錠許容エリア情報記憶手段と、
前記自己位置特定可能情報送信手段により送信された自己位置特定可能情報にて示される自己位置が前記解錠許容エリア情報にて示される解錠許容エリアに含まれるか否かを判定する判定手段とを備え、
前記施錠状態解除指示信号送信手段は、
前記判定手段により、前記自己位置が前記解錠許容エリアに含まれると判定したときに、前記金銭収納装置に施錠状態解除指示信号を送信する
請求項４に記載の金銭収納装置管理システム。
【発明の詳細な説明】
【技術分野】
【０００１】
本発明は、顧客から収集した金銭を収納する金庫を解錠するための技術に関する。
【背景技術】
【０００２】
従来より、現金を収集するための金銭収納装置が用いられている。金銭収納装置には、例えば、ＧＰＳ情報を受信するＧＰＳ情報受信手段と、金銭収納装置に格納された金銭に関するデータログを記憶する記録手段とを有し、遠隔地に設置した監視装置に対して、ＧＰＳ情報とデータログを送信することにより、金銭収納装置に無線機能を持たせて、遠隔地から金銭収納装置の自己位置および収納金額を特定できるようにしたものがある（例えば、特許文献１）。
【先行技術文献】
【特許文献】
【０００３】
【特許文献１】特開２００４−０６２５９７号公報
【発明の概要】
【発明が解決しようとする課題】
【０００４】
しかしながら、上述した従来の金銭収納装置は、遠隔地から位置や収納金額を特定できるように構成されているが、解錠や施錠に関する工夫がなされておらず、金銭収納装置を取り扱う者の判断によって容易に解錠することが可能となるため、セキュリティ機能が十分とはいえないという問題があった。
【０００５】
本発明は、上記の問題を解決すべく、金銭収納装置のセキュリティ機能をより強固なものとすることを目的とする。
【課題を解決するための手段】
【０００６】
本発明の金銭収納装置は、収集した金銭を収納する金銭収納装置であって、前記金銭収納装置を管理する金銭収納装置管理サーバから施錠状態の解徐を指示する施錠状態解除指示信号を通信ネットワークを介して無線通信により受信する施錠状態解除指示信号受信手段と、前記施錠状態解除指示信号を受信したことに応じて、施錠状態を解除する施錠状態解除手段とを備えることを特徴とする。
【０００７】
上記の構成としたことで、金銭収納装置のセキュリティ機能をより強固なものとすることができる。
【０００８】
持ち運び可能に構成されており、前記金銭収納装置管理サーバに対して自己位置を特定可能な自己位置特定可能情報を送信する自己位置特定可能情報送信手段を備え、前記施錠状態解除指示信号受信手段は、前記自己位置特定可能情報により特定された金銭収納装置の自己位置が特定の解錠許容エリアに含まれているときに前記金銭収納装置管理サーバにより送信される前記施錠解除指示信号を受信する構成とされていてもよい。
【０００９】
顧客情報を特定する顧客情報特定手段と、金銭の種類を識別可能に取り込む金銭取込手段と、該金銭取込手段により取り込んだ金銭の金額に応じて当該金額をポイントに変換するポイント変換手段と、該ポイント変換手段により変換したポイントと、前記顧客特定手段により特定した顧客情報とを対応付けた入金管理情報を記憶する入金管理情報記憶手段と、前記入金管理情報を前記金銭収納装置管理サーバに送信する入金管理情報送信手段とを備える構成とされていてもよい。
【００１０】
また、本発明の金銭収納装置管理システムは、収集した金銭を収納する金銭収納装置と、該金銭収納装置を管理する金銭収納装置管理サーバとを備える金銭収納装置管理システムであって、前記金銭収納装置は、前記金銭収納装置管理サーバから施錠状態の解徐を指示する施錠状態解除指示信号を通信ネットワークを介して無線通信により受信する施錠状態解除指示信号受信手段と、前記施錠状態解除指示信号を受信したことに応じて、施錠状態を解除する施錠状態解除手段とを備え、前記金銭収納装置管理サーバは、前記金銭収納装置に前記施錠状態解除指示信号を送信する施錠状態解除指示信号送信手段を備えることを特徴とする。
【００１１】
前記金銭収納管理サーバは、前記施錠状態の解除を許容する解錠許容エリアを示す解錠許容エリア情報を記憶する解錠許容エリア情報記憶手段と、前記自己位置特定可能情報送信手段により送信された自己位置特定可能情報にて示される自己位置が前記解錠許容エリア情報にて示される解錠許容エリアに含まれるか否かを判定する判定手段とを備え、前記施錠状態解除指示信号送信手段は、前記判定手段により、前記自己位置が前記解錠許容エリアに含まれると判定したときに、前記金銭収納装置に施錠状態解除指示信号を送信する構成とされていてもよい。
【発明の効果】
【００１２】
本発明によれば、金銭収納装置のセキュリティ機能をより強固なものとすることができる。
【図面の簡単な説明】
【００１３】
【図１】金銭収納装置の構成例を示す簡略図である。
【図２】金銭収納装置の構成例を示すブロック図である。
【図３】金銭収納装置管理システムの構成例を示すブロック図である。
【図４】入金管理情報の格納状態の例を示す説明図である。
【図５】顧客所持ポイント情報の格納状態の例を示す説明図である。
【図６】顧客所持ポイント情報の格納状態の例を示す説明図である。
【図７】顧客ＩＤ管理情報の格納状態の例を示す説明図である。
【図８】本例の金銭収納装置管理システムが適用される収集形態の概要の例を示す概念図である。
【図９】金銭収集処理の例を示すフローチャートである。
【図１０】入金管理情報の更新処理の例を示すフローチャートである。
【図１１】更新後の顧客所持ポイント情報の格納状態の例を示す説明図である。
【図１２】施錠状態解除処理の例を示すフローチャートである。
【図１３】金銭取込部ロック処理の例を示すフローチャートである。
【発明を実施するための形態】
【００１４】
以下、本発明の実施の形態について図面を参照して説明する。
【００１５】
図１は、本発明の実施の形態における金銭収納装置１００の構成例を示す簡略図である。また、図２は、金銭収納装置１００の構成例を示すブロック図である。
【００１６】
図１および図２に示すように、金銭収納装置１００は、制御部１１と、顧客情報読取部１２と、表示部１３と、操作受付部１４と、金銭取込部１５と、金銭収納部１６と、錠前部１７と、自己位置特定可能情報取得部１８と、無線通信部１９と、記憶部２０とを含むように構成されている。
【００１７】
金銭収納装置１００は、各地に点在する顧客の家を回るときに携帯可能な大きさおよび重量、もしくは収集車に車載できる大きさおよび重量により構成されており、持ち運び式の筐体である。そして、金銭収納装置１００は、金銭収納装置管理サーバ３０からの指示により解錠を行えるように構成されている。
【００１８】
制御部１１は、金銭を収納し管理するときに行われる各種の制御を実行する機能を有する。
【００１９】
制御部１１は、具体的には、顧客に対して情報を表示する表示処理や、金銭収納装置１００に取り込まれた金銭の集計処理や、施錠状態を解除する施錠状態解除処理などの処理を行う。処理内容の詳細は、後で詳しく説明する。
【００２０】
顧客情報読取部１２は、顧客を一意に決定する顧客ＩＤを読み取るためのカードリーダである。具体的には、顧客情報読取部１２は、プリペイドカードや会員カードなどに含まれるＩＣチップや磁気から顧客ＩＤを読み取る。なお、本例では、顧客を一意に特定する情報が埋め込まれているカードから顧客ＩＤを読み取っているが、顧客ＩＤとして記憶されている識別番号を操作パネルに直接入力して、顧客ＩＤを読み取るように構成されていてもよい。すなわち、手入力により顧客ＩＤを読み取るように構成されていてもよい。
【００２１】
表示部１３は、制御部１１の制御に従って、金銭の入金に関する確認画面や、各種操作を行うための操作ボタンなどを表示する液晶表示装置である。
【００２２】
操作受付部１４は、表示部１３により表示した操作ボタンに対する顧客からの操作を受け付けるタッチパネルである。本例では、顧客情報読取部１２によりカードに埋め込まれている情報を読み出すことにより顧客ＩＤを読み取ることとしているが、表示部１３により、顧客に対して顧客を特定する番号の入力が行える画面を表示し、操作受付部１４により、直接に番号の入力を受け付けることにより、顧客ＩＤを読み取るように構成されていてもよい。
【００２３】
金銭取込部１５は、顧客から受け付ける紙幣および硬貨などの金銭を取り込むとともに、金銭の種類を識別する装置である。金銭取込部１５は、金銭収納装置の外部に突出する外紙幣取込口と、紙幣取込口に挿入された紙幣を取り込む機能を有する紙幣取込機構と、硬貨を取り込む機能を有する硬貨取込口と、取り込んだ紙幣および硬貨の種類を識別する機能を有する金銭識別機構とを含むように構成されている。これらの機能を有する装置については、既に公知な技術となっているため、詳細な説明を省略する。
【００２４】
また、金銭取込部１５は、紙幣および硬貨を取り込むことができない「ロック状態」とすることが可能に構成されている。例えば、「ロック状態」のときには、紙幣取込機構や金銭識別機能などの各種機能の電源が入らない構成などとすればよい。金銭取込部１５をロック状態にする処理については、後で詳しく説明するが、具体的には、「ロック状態」と「施錠状態」とは密接に関連しており、「施錠状態」のときには、「ロック状態」にはならず、「施錠解除状態」のときには「ロック状態」となるように構成されている。
【００２５】
金銭収納部１６は、金銭取込部１５により取り込んだ金銭を収納する筐体である。金銭収納部１６は、取手などの取り出し部材により、取り出し自在に構成される。ただし、錠前部１７により施錠されている状態では、取り出すことができないように構成される。
【００２６】
錠前部１７は、金銭収納部１６の取り出しを制御する錠前である。複数の錠前で構成されていてもよい。本例では、錠前部１７は、「第一の錠前」として、施錠状態解除指示信号を受信することにより解錠する電子ロックと、「第二の錠前」として、鍵を差し込み回すことにより解錠する錠前との２つの錠前により構成される。本例では、電子ロック（第一の錠前）と鍵穴式錠前（第二の錠前）とにより構成されているが、錠前部１７は、施錠状態解除指示信号を受信することにより解錠する錠前（第一の錠前）のみから構成されていてもよい。
【００２７】
なお、本例における「施錠状態」とは、施錠状態解除指示信号を受信することにより解錠される電子ロック（第一の錠前）が施錠されている状態のことをいう。一方で、「解錠状態」とは、施錠状態解除指示信号を受信することにより電子ロック（第一の錠前）が解錠されている状態のことをいう。また、施錠状態解除指示信号を受信することにより解錠される電子ロック（第一の錠前）は、種々の方法で施錠が行われる。例えば、その構成は、電子ロック施錠用のスイッチを備える構成や、鍵を差し込み回すことにより解錠する錠前（第二の錠前）を施錠したことに応じて自動的に電子ロックが施錠される構成などとすればよい。
【００２８】
自己位置特定可能情報取得部１８は、いわゆるＧＰＳ受信機と称されるものであり、ＧＰＳ衛星から放射されるＧＰＳ信号を受信してＧＰＳ衛星とＧＰＳ受信機自身との距離（疑似距離）を測定し、複数の衛星からのＧＰＳ信号を同時に受信することによりＧＰＳ受信機自身の自己位置（ＧＰＳ測位解）を特定する。本例では、ＧＰＳ受信機によりＧＰＳ信号から自己位置を特定可能な情報を取得するように構成しているが、ＲＦＩＤタグから、現在の位置情報を特定可能な情報を得るように構成されていてもよい。また、自己位置を特定するのではなく、自己位置を特定可能な情報を取得し、自己位置を特定可能な情報が送信された送信先（例えば、金銭収納装置管理サーバ３０など）にて金銭収納装置１００の自己位置を特定するように構成してもよい。
【００２９】
無線通信部１９は、通信ネットワーク４０に接続されている中継器５０と通信を行う通信装置である。本例では、中継器５０と通信を行うように構成されているが、中継器を介さずに通信ネットワークと接続することにより、直接に金銭収納装置管理サーバとやり取りを行うように構成されていてもよい。
【００３０】
記憶部２０は、金銭を収納し管理するときに必要なデータを記憶する記憶媒体である。記憶部２０は、例えばＲＡＭなどの不揮発性のメモリによって構成される。本例では、記憶部２０には、入金管理情報記憶部２０ａと、顧客ＩＤ管理情報記憶部２０ｂとが含まれる。入金管理情報記憶部２０ａと、顧客ＩＤ管理情報記憶部２０ｂとについては、後で詳しく説明する。
【００３１】
図３は、本発明の実施形態に係る金銭収納装置管理システム６０の構成例を示すブロック図である。図３に示すように、本発明の実施形態に係る金銭収納装置管理システム６０は、金銭収納装置１００〜１０Ｎと、金銭収納装置管理サーバ３０と、中継器５０とから構築されるシステムである。
【００３２】
金銭収納装置管理サーバ３０は、例えば、専用回線、ＬＡＮ、無線通信回線などの通信ネットワーク４０に接続され、中継器５０を介して金銭収納装置１００〜１０Ｎと通信可能になっている。
【００３３】
金銭収納装置管理サーバ３０は、例えば、金銭収納装置管理システム６０のシステム管理者によって管理されるサーバ装置であり、ＯＳ（Ｏｐｅｒａｔｉｎｇ  Ｓｙｓｔｅｍ）、ミドルウェア、および各種アプリケーションなどを備えた一般的な情報処理装置によって構成される。
【００３４】
金銭収納装置管理サーバ３０は、金銭収納装置１００〜１０Ｎ（Ｎ：任意の正の整数）に対して施錠状態を解除する信号を送信する機能などの各種の機能を有している。
【００３５】
金銭収納装置管理サーバ３０は、顧客所持ポイント情報ＤＢ３１と、解錠許容エリア情報ＤＢ３２と、金銭収納装置管理情報ＤＢ３３とを備えている。顧客所持ポイント情報ＤＢ３１、解錠許容エリア情報ＤＢ３２、金銭収納装置管理情報ＤＢ３３は、それぞれ、金銭収納装置管理サーバ３０の内部に備えられていてもよいし、外部に備えられていてもよい。
【００３６】
通信ネットワーク４０は、専用回線、ＬＡＮ、無線通信回線などにより、金銭収納装置１００と金銭収納装置管理サーバ３０とを接続する無線通信手段である。基地局などの不備により、通信が行えない地域においては、無線アドホックネットワークシステムを備えるように構成されていてもよい。
【００３７】
図４は、顧客所持ポイント情報の格納状態の例を示す説明図である。図４に、顧客所持ポイント情報ＤＢ３１は、本システムの登録顧客のポイント状況に関する顧客所持ポイント情報を格納する。具体的には、顧客名と、顧客の識別情報を示す顧客ＩＤと、顧客所持ポイントとが対応付けて格納されている。
【００３８】
顧客ＩＤは、顧客情報読取部１２によって読み取られた識別番号である。顧客ＩＤは、例えば、一意の顧客が定まるように所定の桁数の数字から構成されている識別番号などが用いられる。本例では、顧客を一意に特定するために顧客ＩＤを用いているが、顧客ＩＤに限らず、住所や氏名などの顧客に関する情報を用いて顧客を特定することとしてもよい。
【００３９】
顧客所持ポイントは、顧客が所持するポイント数を示す。顧客が、ポイントを使用またはチャージ（入金）することにより、ポイント数は増減する。
【００４０】
解錠許容エリア情報ＤＢ３２は、施錠状態を解除することを許容する解錠許容エリアが設定された解錠許容エリア情報を格納する。具体的には、「中心位置から・・・の半径の範囲」、または「東西は・・・、南北は・・・」というようにある程度の幅を持つ範囲となるように設定される。本例では、ある程度の範囲を持たせて許容エリアとしているが、幅を持たせることなくピンポイントに設定することとしてもよい。
【００４１】
図５は、金銭収納装置管理情報の格納状態の例を示す説明図である。図５に示すように、金銭収納装置管理情報は、金銭収納装置１００〜１０Ｎを識別するための金銭収納装置名（本例であれば、Ａ、Ｂ、・・・、Ｃ）と、金銭収納装置１００が施錠されている状態であるか否かを示す金銭収納装置１００の状態とが対応付けられて格納されている。本例では、金銭収納装置１００の状態は、施錠状態であるときは「施錠」と記録され、解錠状態であるときは「解錠」と記録される。
【００４２】
図６は、入金管理情報の格納状態の例を示す説明図である。図６に示すように、入金管理情報は、入金日時と、顧客ＩＤと、入金額が対応付けられた情報である。ここで入金日時は、金銭取込部１５に金銭が取り込まれた日時を示し、金銭取込部１５が顧客からの入金を受け付けたことに応じて記録される。
【００４３】
入金額は、金銭取込部１５によって取り込んだ金銭の金額である。なお、つり銭を排出することができるようにつり銭部を備えることにより、金銭取込部１５が取り込んだ金銭の一部をポイントに変換するという機能を持たせているのであれば、金銭取込部１５によって取り込んだ金銭のうち、取り込んだ金額からつり銭として排出した額を除いた金額が入金額となる。
【００４４】
図７は、顧客ＩＤ管理情報の格納状態の例を示す説明図である。図７に示すように顧客ID管理情報は、顧客を一意に特定するためのＩＤと、顧客の氏名とが対応付けられた情報である。本例では、顧客の氏名のみを顧客ＩＤに対応付けているが、顧客の住所や電話番号などの各種個人情報を顧客ＩＤに対応付けて保存しておくこととしてもよい。
【００４５】
ここで、本例の金銭収納装置管理システム６０が適用される収集形態の概要の例を説明する。図８は、本例の金銭収納装置管理システム６０が適用される収集形態の概要の例を示す概念図である。
【００４６】
図８に示すように、入金を行う各顧客Ｘ，Ｙ，Ｚと、金銭収納装置１００を収集車Ｔ１に積載して各顧客Ｘ，Ｙ，Ｚの家を回ることにより金銭の収集を行う収集者Ｔ２と、金銭収集を総合的に管理する本部Ｈと、本部Ｈに待機している金銭の管理者Ｔ３とからなる。また、本例では、本部Ｈの中の所定位置において、施錠状態を解除することを許容する解錠許容エリアＥが設定されている。
【００４７】
本例の金銭収納装置管理システム６０が適用される収集形態においては、金銭を収集する人物と、収集した金銭の管理を行う人物とは、別の人物が行う。すなわち、金銭を収集する人物として収集者Ｔ２が存在し、収集した金銭の管理を行う人物として管理者Ｔ３が存在する。
【００４８】
また、本例の金銭収納装置管理システム６０が適用される収集形態においては、各顧客Ｘ，Ｙ，Ｚの居住地付近では通信ネットワーク４０に関する設備が整備されていないものとする。したがって、金銭収納装置１００は、金銭を収集しているときには本部Ｈにある金銭収納装置管理サーバ３０との通信が行えず、本部Ｈに近づくことにより金銭収納装置管理サーバ３０と通信が行える状態となっている。
【００４９】
まず、収集者Ｔ２は、本部Ｈの管理者Ｔ３から金銭収納装置１００を受け取り、金銭収納装置１００を携帯して各顧客Ｘ，Ｙ，Ｚの家を回る。
【００５０】
顧客を一意に特定する顧客ＩＤを本部Ｈのサーバに登録している各顧客Ｘ，Ｙ，Ｚは、収集者Ｔ２が持ってきた金銭収納装置１００に金銭を入金し、金銭をポイントに変換する。
【００５１】
なお、本例では、各顧客Ｘ，Ｙ，Ｚの居住地付近では通信ネットワーク４０に関する設備が整備されていないため、顧客の入金に関する入金管理情報は、一度金銭収納装置１００に記憶され、蓄積される。
【００５２】
収集者Ｔ２は、金銭を収集し、入金に関する情報を記憶した状態で、本部Ｈまで戻り、金銭収納装置１００を管理者Ｔ３に渡す。
【００５３】
管理者Ｔ３は、顧客を一意に特定する顧客ＩＤと顧客の所持するポイントと対応付けて保存している本部Ｈのサーバに、入金管理情報を送信し、顧客の所持するポイントに対して入金に応じたポイントを加算する。
【００５４】
また、管理者Ｔ３は、解錠許容エリアＥまで金銭収納装置１００を運び、金銭収納装置１００を開けて各顧客Ｘ，Ｙ，Ｚにより入金された金銭を回収する。
【００５５】
本例では、上記のようにして、金銭を回収する収集者Ｔ２は収集した金銭に触れることができない構成となっている。なお、本例では、各顧客Ｘ，Ｙ，Ｚの居住地付近では通信ネットワーク４０に関する設備が整備されていないため、入金管理情報は、一度金銭収納装置１００に記憶される構成としているが、各顧客の居住地付近において通信ネットワーク４０に関する設備が整備されているときには、入金管理情報は、金銭収納装置１００に記憶し、蓄積していくのではなく、入金が行われたその場で、金銭収納装置管理サーバ３０に送信されるように構成することもできる。
【００５６】
次に、本発明の実施の形態に係る金銭収集処理の動作について図面を参照して説明する。なお、本発明に特に係わらない処理については、その詳細な説明を省略している場合がある。
【００５７】
図９は、金銭収納装置１００を用いて金銭を収集する金銭収集処理の例を示すフローチャートである。金銭収納装置１００が、顧客から紙幣の入金を受け付ける場合を例に説明する。
【００５８】
金銭収集処理において、制御部１１は、顧客情報読取部１２により顧客からカードの提示を受け付けたことに応じて、顧客認証の依頼を受け付ける（ステップＳ１０１）。制御部１１は、顧客認証の依頼を受け付けると、提示されたカードに埋め込まれたデータに基づいて顧客認証を行い、顧客情報を特定する（ステップＳ１０２）。
【００５９】
顧客認証が完了し（ステップＳ１０１のＹ）、顧客を特定すると、金銭取込部１５は、顧客が取込口に挿入している紙幣を金銭取込機構により取り込む（ステップＳ１０３）。
【００６０】
紙幣を取り込むと、金銭取込部１５は、金銭取込機構により取り込んだ紙幣の種類を識別する（ステップＳ１０４）。そして、制御部１１は、金銭収納装置１００に入金された金額を決定する。
【００６１】
入金額を決定すると、制御部１１は、入金額に応じたポイントを決定する（ステップＳ１０５）。
【００６２】
入金額をポイントに変換すると、制御部１１は、ステップＳ１０２で特定した顧客情報（ここでは、顧客ＩＤ）とポイントとを対応付けて入金管理情報として記憶部２０に格納する（ステップＳ１０６）。
【００６３】
入金管理情報を記憶すると、表示部１３は、制御部１１からの制御に基づいて、顧客情報や、入金額や、ポイント数などが表示されている確認画面を顧客に対して表示する（ステップＳ１０７）。なお、確認画面で、顧客が取消を希望するときは、取り消し決定後に、入金管理情報を消去するように構成してもよい。また、同様に、ステップＳ１０６で入金管理情報として記憶する前に、確認画面を表示し、顧客に対して取消の選択肢を与えるように構成しておくこともできる。
【００６４】
顧客から入金確認の指示を受け付けると、制御部１１は、更なる金銭の入金があるか否かを顧客に対して提示し（ステップＳ１０８）、金銭の入金を行うのであれば（ステップＳ１０８のＹ）、顧客情報を特定した状態のまま連続的に入金が行えるようにステップＳ１０３へ戻る。
【００６５】
一方で、制御部１１は、顧客からの金銭の連続入金を行わないという選択を受け付けたときは、金銭収集処理を終了する。なお、顧客から金銭の連続入金を行わないという選択を受け付けたときに、領収書を発行するように構成されていてもよい。
【００６６】
以上、金銭収集処理の例について説明した。本例では、顧客が紙幣を入金する場合を例に説明したが、金銭収納装置１００が取り込むことができる金銭は、硬貨を含むように構成されていてもよい。
【００６７】
また、つり銭部を備えることにより、取り込んだ金銭の一部を入金額として取り扱うように構成されていてもよい。
【００６８】
また、入金額をポイントに変換するときに、予め記憶部２０に記憶するポイント変化率テーブル（不図示）を用いて、ポイント変換率を考慮したポイント変換を行うように構成されていてもよい。ポイント変換率を考慮するタイミングは、金銭収納装置管理サーバ３０に入金管理情報を送信したときに行うように構成されていてもよい。
【００６９】
次に、本発明の実施の形態に係る入金管理情報に関する金銭収納装置管理システム６０の動作について図面を参照して説明する。なお、本発明に特に係わらない処理については、その詳細な説明を省略している場合がある。
【００７０】
図１０は、入金管理情報の更新処理の例を示すフローチャートである。ここでは、金銭収納装置管理サーバ３０が管理する顧客所持ポイント情報を、金銭収納装置１００が記憶する入金管理情報を用いて更新する場合を例に説明する。
【００７１】
入金管理情報に関する金銭収納装置管理システム６０において、金銭収納装置１００が、顧客から収集した金銭に関する入金管理情報を金銭収納装置管理サーバ３０に対して送信する（ステップＳ２０１）。
【００７２】
金銭収納装置管理サーバ３０は、金銭収納装置１００が送信した入金管理情報を受信する（ステップＳ２０２）。
【００７３】
金銭収納装置１００から入金管理情報を受信すると、金銭収納装置管理サーバ３０は、入金管理情報に基づいて、顧客所持ポイント情報を更新する（ステップＳ２０３）。具体的には、本例では、顧客所持ポイント情報の中から、入金管理情報に記憶されている顧客ＩＤと同一の顧客ＩＤを特定し、特定した顧客ＩＤに対応付けされている顧客所持ポイントに対して入金額に応じたポイントを加算する処理を、金銭収納装置管理サーバ３０が行う。
【００７４】
顧客情報を更新すると、金銭収納装置管理サーバ３０は、金銭収納装置１００に対して顧客所持ポイント情報を更新が完了したことを通知する（ステップＳ２０４）。
【００７５】
金銭収納装置管理サーバ３０からの更新完了通知を受信すると、金銭収納装置１００は入金管理情報を削除する（ステップＳ２０５）。本例では、入金管理情報は、顧客所持ポイント情報に反映されたことに応じて、逐一削除されるように構成している。しかしながら、このような構成に限らず、入金管理情報は、反映完了フラグを対応付けておき、反映が完了した情報であるか否かを判別できる状態にして記憶されるように構成することもできる。このような構成によれば、逐一削除する必要がなくなるため、金銭収納装置１００は、顧客に対して入金履歴を提示することができるようになる。
【００７６】
図１１は、図４に示す入金管理情報に基づいて図６に示す顧客所持ポイント情報を更新した後の顧客所持ポイント情報の格納状態の例を示す説明図である。本例では、金銭収納装置管理サーバ３０は、「顧客ＩＤ：１２３４５６」が３２０ポイント有している状態で１０００円を入金したので１３２０ポイントを所持するように顧客所持ポイント情報を更新する。また、「顧客ＩＤ：２３４５７」が６０５０ポイント有している状態で１０００円を２回入金したので８０５０ポイントを所持するように顧客所持ポイント情報を更新する。さらに、「顧客ＩＤ：７７５５３」が２１ポイント有している状態で１００００円を入金したので１００２１ポイントを所持するように顧客所持ポイント情報を更新する。
【００７７】
次に、施錠状態解除処理の例について図面を参照して説明する。なお、本発明に特に係わらない処理については、その詳細な説明を省略している場合がある。
【００７８】
図１２は、施錠状態解除指示信号の送信処理の例を示すフローチャートである。ここでは、ＧＰＳセンサにより取得した金銭収納装置１００の自己位置に応じて金銭収納装置管理サーバ３０が施錠解除指示信号を送信する場合を例に説明する。
【００７９】
施錠状態解除指示信号に関する金銭収納装置管理システム６０において、金銭収納装置１００が、ＧＰＳセンサにより自己位置特定可能情報を取得する（ステップＳ３０１）。
【００８０】
自己位置特定可能情報を取得すると、金銭収納装置１００は、自己位置特定可能情報を金銭収納装置管理サーバ３０に対して送信する（ステップＳ３０２）。
【００８１】
金銭収納装置管理サーバ３０は、金銭収納装置１００から自己位置特定可能情報を受信すると（ステップＳ３０３）、解錠許容エリア情報を参照して、自己位置特定可能情報にて示される自己位置が解錠許容エリアに含まれているか否かを判定する（ステップＳ３０４）。
【００８２】
金銭収納装置１００の自己位置が解錠許容エリアに含まれていないと判定したとき（ステップＳ３０４のＮ）、本例の施錠状態解除処理は終了する。
【００８３】
一方で、金銭収納装置１００の自己位置が解錠許容エリアに含まれていると判定したときは（ステップＳ３０４のＹ）、金銭収納装置管理サーバ３０は、金銭収納装置管理情報ＤＢ３３に格納された金銭収納装置管理情報に基づいて、自己位置特定可能情報を送信してきた金銭収納装置１００が施錠状態であるか否かを判定する（ステップＳ３０５）。
【００８４】
施錠状態ではないと判定したとき（ステップＳ３０５のＮ）、本例の施錠状態解除処理は終了する。
【００８５】
一方で、施錠状態であると判定したとき（ステップＳ３０５のＹ）金銭収納装置１００に対して施錠状態解除指示信号を送信する（ステップＳ３０６）。施錠状態解除指示信号を送信すると、金銭収納装置管理サーバ３０は、金銭取込部ロック処理を行う（ステップＳ３０７）。
【００８６】
金銭収納装置１００は、金銭収納装置管理サーバ３０から施錠状態解除指示信号を受信すると（ステップＳ３０８）、錠前部１７の電子ロック（第一の錠前）を解錠する（ステップＳ３０９）。そして、錠前部１７の電子ロックを解錠すると、本例の施錠状態解除処理を終了する。
【００８７】
以上、本例の施錠状態解除処理について説明したが、上述の本例の施錠状態解除処理においては、ステップＳ３０５において金銭収納装置１００が施錠状態であるか否かを判定して施錠状態解除指示信号を送るように構成している。しかしながら、施錠状態であるか否かを判定することなく、金銭収納装置管理サーバ３０は、金銭収納装置１００の自己位置が解錠許容エリアに含まれていると判定したとき（ステップＳ３０４のＹ）であれば、必ず施錠状態解除信号を金銭収納装置１００に対して送信するように構成されていてもよい。
【００８８】
次に、金銭取込部ロック処理の例について図面を参照して説明する。なお、本発明に特に係わらない処理については、その詳細な説明を省略している場合がある。
【００８９】
図１３は、金銭取込部ロック処理の例を示すフローチャートである。ここでは、金銭収納装置１００のステップＳ３０６にて、金銭収納装置管理サーバ３０が金銭収納装置１００に対して施錠状態解除指示信号を送信したことにより、金銭収納装置が解錠状態となっている場合を例に説明する。
【００９０】
施錠状態解除指示信号に関する金銭収納装置管理システム６０において、金銭収納装置管理サーバ３０が、金銭収納装置管理情報を更新し、金銭収納装置１００の状態を「解錠」とする（ステップＳ４０１）。
【００９１】
金銭収納装置１００の状態を「解錠」としたことに応じて、金銭収納装置管理サーバ３０は、金銭収納装置１００に対して金銭取込部ロック指示信号を送信する（ステップＳ４０２）。
【００９２】
金銭収納装置１００は、金銭取込部ロック指示信号を受信すると（ステップＳ４０３）、金銭取込部１５をロックする（ステップＳ４０４）。
【００９３】
金銭取込部１５をロックすると、金銭収納装置１００は、錠前部１７の電子ロック（施錠状態解除指示信号を受信することにより解錠される錠前）が施錠されることにより、「施錠状態」となったか否かを判定する（ステップＳ４０５）。
【００９４】
施錠状態であると判定したとき（ステップＳ４０５のＹ）、金銭収納装置１００は、金銭収納装置管理サーバ３０に対して、金銭取込部ロック解除要求を送信する（ステップＳ４０６）。
【００９５】
金銭収納装置管理サーバ３０は、金銭取込部ロック解除要求を受信すると（ステップＳ４０７）、金銭収納装置管理情報を「解錠」から「施錠」へと更新し（ステップＳ４０８）、金銭取込部ロック解除指示信号を、金銭収納装置１００に対して送信する（ステップＳ４０９）。
【００９６】
金銭収納装置１００は、金銭取込部ロック解除指示信号を受信すると（ステップＳ４１０）、金銭取込部１５のロックを解除し（ステップＳ４１１）、金銭を取り込める状態にする。
【００９７】
以上に説明したように、上述した実施の形態では、顧客から収集した金銭を収納する金銭収納装置１００が、無線通信（例えば、通信ネットワーク４０を通じた通信）を行い、施錠状態を解徐する施錠状態解除指示信号を、金銭収納装置１００と通信可能なサーバ（例えば、金銭収納装置管理サーバ３０）から受信し、施錠状態解除指示信号を受信したことに応じて、施錠状態を解除する構成としているので、金銭収納装置の解錠管理を遠隔地で行うことができるようになり、セキュリティ機能をより強固なものとすることができるようになる。
【００９８】
すなわち、金銭収納装置を管理するサーバからの施錠状態を解除する指示信号を受信しなければ、解錠することができないように構成されており、金銭収集を行う作業者は収集した金銭に触ることができずに、収集した金銭を管理する管理者でなければ、収集した金銭に触れることができないように構成されているため、信頼性の高い金銭管理を実現することができるようになる。
【００９９】
また、上述した実施の形態における金銭収納装置１００は、自己位置を特定し、特定した自己位置を示す自己位置情報を金銭収納装置管理サーバ３０に対して送信し、送信した自己位置情報にて示される自己位置が特定のエリアに含まれるときに送信される施錠解除指示信号を金銭収納装置管理サーバ３０から受信する構成としているので、特定の位置でなければ金銭収納装置を開けることができないこととなり、金銭の管理者のみが立ち入れる場所を特定の位置とすることにより、収集した金銭をより厳重に行うことができるようになる。
【０１００】
また、上述した実施の形態における金銭収納システム６０は、金銭収納装置管理サーバ３０が金銭収納装置１００に対して施錠解除指示信号を送信し、金銭収納装置管理情報を解錠状態を示す「解錠」に更新し、金銭取込部ロック指示信号を送信し、金銭取込部ロック解除要求を受信し、金銭収納装置管理情報を施錠状態を示す「施錠」に更新し、金銭取込部ロック解除指示信号を送信するとともに、金銭収納装置１００が、金銭取込部ロック指示信号を受信し、金銭取込部１５をロックし、施錠状態であるか否かを判定し、施錠状態のときに金銭取込部ロック解除要求を送信し、金銭取込部ロック解除指示信号を受信し、金銭取込部１５のロックを解除する構成としている。したがって、金銭収納装置の状態が、必ず「施錠状態」か「ロック状態」のいずれかの状態になるため、金銭の収集を行うときに、金銭収納装置が解錠している状態で金銭の収集に回ることを確実に防ぐことが可能となる。
【０１０１】
なお、上述した実施の形態では特に言及していないが、錠前部１７は、例えば、ピンタンブラー錠のような機械的な錠前を用いることができる。例えば、錠前部１７は、「施錠状態解除指示信号を受信していない状態では、鍵が差し込めない」または「施錠状態解除指示信号を受信していない状態では、鍵を差し込んでもシリンダーまたはカムが回転しない」ように構成することができる。このような構成によれば、システムにロックがかかっており解錠不能な施錠機構のシステムを解除することができるようになり、システムロックの解除と施錠機構の解錠との二重の施錠を行うことができるようになるため、セキュリティ機能をより強固なものとすることができるようになる。
【０１０２】
また、暗号キーを用いるような電子的な錠前を用いることもできる。例えば、錠前部１７は、「施錠状態解除指示信号と、暗号キーとがそろって初めて解錠することができるようになる」、または「施錠状態解除指示信号を受信していない状態では電源がＯＮにならず、暗号キーの入力が行えない」ように構成することができる。このような構成によれば、システムにロックがかかっており解錠不能な施錠機構のシステムを解除することができるようになり、システムロックの解除と施錠機構の解錠との二重の施錠を行うことができるようになるため、セキュリティ機能をより強固なものとすることができるようになる。
【０１０３】
また、上述した実施の形態では特に言及していないが、制御部１１は、収納金銭の上限を設けるように構成されていてもよい。すなわち、顧客からの入金額の総計を記憶しておき、あらかじめ設定している数値を入金総計が超えたときには、入金を受け付けないように構成されていてもよい。このような構成によれば、収納している金銭の総計が多額にならないように管理できるため、リスク管理が行えるようになる。また、このような構成によれば、収納している金銭の量の最大量が管理できるようになるため、持ち運び時の負担軽減につながることとなる。
【０１０４】
また、上述した実施の形態では特に言及していないが、金銭収納装置１００は、爆発装置を備え、施錠解除指示信号を受信していないにも関わらず、無理に解錠を試みたときに爆発装置を作動させ、爆発を起こすように構成されていてもよい。例えば、金銭収納装置１００は、カラーインクなどの、特殊インクを金銭収納部１６に備え、特殊インクが破裂することにより収納した紙幣に付着するように構成されていてもよい。このような構成によれば、金銭が略奪された場合であっても、略奪された金銭であることが一目でわかるようになり、略奪者が略奪した金銭を使用不能な状態にすることができるようになる。
【産業上の利用可能性】
【０１０５】
本発明によれば、顧客の居住地を回りながら金銭を収集する金銭収納装置を提供するのに有用である。
【符号の説明】
【０１０６】
１１        制御部
１２        顧客情報読取部
１３        表示部
１４        操作受付部
１５        金銭取込部
１６        金銭収納部
１７        錠前部
１８        自己位置特定可能情報取得部
１９        無線通信部
２０        記憶部
３０        金銭収納装置管理サーバ
６０        金銭収納装置管理システム
１００      金銭収納装置
【図１】
2014055480.tif 000003
【図２】
2014055480.tif 000004
【図３】
2014055480.tif 000005
【図４】
2014055480.tif 000006
【図５】
2014055480.tif 000007
【図６】
2014055480.tif 000008
【図７】
2014055480.tif 000009
【図８】
2014055480.tif 000010
【図９】
2014055480.tif 000011
【図１０】
2014055480.tif 000012
【図１１】
2014055480.tif 000013
【図１２】
2014055480.tif 000014
【図１３】
2014055480.tif 000015